(57)【要約】【課題】  衝突時に車両のドライブトレイン内での力の流れを遮断するための方法を提供する。【解決手段】  衝突時に車両のドライブトレイン内での力の流れを遮断するための方法であって、ドライブトレイン内に提供された電気機械が従動軸から切断される方法は、衝突時に、ドライブトレイン内で電気機械（ＥＭ）と従動軸（Ａ）との間に配置されたオートマチックトランスミッション（Ｇ）がニュートラル位置にシフトされることを特徴とする。【選択図】      図１
2010242967.tif 000002
【特許請求の範囲】
【請求項１】
衝突時に車両のドライブトレイン内での力の流れを遮断するための方法であって、前記ドライブトレイン内に提供された電気機械が従動軸から切断される方法において、衝突時に、前記ドライブトレイン内で前記電気機械（ＥＭ）と前記従動軸（Ａ）との間に配置されたオートマチックトランスミッション（Ｇ）がニュートラル位置にシフトされることを特徴とする方法。
【請求項２】
前記車両（１）が、内燃機関（ＶＭ）と、電気機械（ＥＭ）と、オートマチックトランスミッション（Ｇ）とが共通のシャフト上に配置されたドライブトレインを有するパラレルハイブリッドとして具現化され、クラッチ（Ｔ）が、前記内燃機関と前記電気機械との間に提供され、したがって前記電気機械および／または前記内燃機関によって前記車両を駆動させることができ、さらに、前記車両の衝突時に前記クラッチが閉じられる請求項１に記載の方法。
【請求項３】
前記車両トランスミッションが、前記車両の衝突時に、加速度センサおよび／またはエアバッグ制御デバイス（Ｓ１）によって発生される信号に基づいてニュートラル位置にシフトされる請求項１または２に記載の方法。
【請求項４】
前記発生される信号の冗長伝送が提供される請求項３に記載の方法。
【請求項５】
ネットワーク化されたトランスミッション制御装置の制御信号の伝送に失敗した場合、前記車両トランスミッションがニュートラル位置にシフトされる請求項１乃至４のいずれか一項に記載の方法。
【請求項６】
衝突時にドライブトレイン内での力の流れを遮断する車両であって、前記ドライブトレイン内に提供された電気機械が従動軸から切断される車両において、衝突時に、前記ドライブトレイン内で前記電気機械（ＥＭ）と前記従動軸（Ａ）との間に配置されたオートマチックトランスミッション（Ｇ）がニュートラル位置にシフトされることを特徴とする車両。
【発明の詳細な説明】
【技術分野】
【０００１】
本発明は、請求項１の前段による、衝突時に車両のドライブトレイン内での力の流れを遮断するための方法に関する。
【背景技術】
【０００２】
ハイブリッド自動車または電気自動車は、高電圧電池に電気的に接続された少なくとも１つの電気機械をドライブトレイン内に有する。高電圧電池から電気機械に電流を供給することによって電気機械が電動機として作動される場合、電気機械は、少なくとも部分的に、車両の１つの車軸を駆動させることができる（電気走行またはブースト）。特に電気機械が発電機として作動される場合、車軸の回転運動が電気機械に伝達されることによって（エネルギー回収）、または電気機械が内燃機関によって回転されることによって、電気機械が高電圧電池に電流を充電することができる。しかし、車両の衝突時、電気機械が一時的に発電機として作動されるとき、高電圧電線路の損傷により、電熱効果が生じることがある。
【０００３】
このため、この分野の下記特許文献１では、車軸ごとに、または車輪ごとに個別の機械的遮断ユニットが提供される。それにより、ドライブトレインの電気機械と従動軸との間での力の流れは確実に遮断されるが、これは、構造的に複雑であり、したがって高価な解決策である。
【先行技術文献】
【特許文献】
【０００４】
【特許文献１】米国特許第６，７９３，０３４Ｂ２号明細書
【特許文献２】独国特許出願公開第１９９  ３３  ２４２  Ａ１号明細書
【特許文献３】独国特許出願公開第１９９  １７  ６６５  Ａ１号明細書
【特許文献４】独国特許出願公開第１００  ３６  ５０４  Ａ１号明細書
【特許文献５】独国特許出願公開第１０２  ０９  ５１４  Ａ１号明細書
【特許文献６】独国特許出願公開第１０  ２００６  ０３４  ２９７  Ａ１号明細書
【特許文献７】独国特許出願公開第１０  ２００５  ０５１  ３８２  Ａ１号明細書
【特許文献８】独国特許出願公開第１０  ２００６  ０１２  ７５９  Ａ１号明細書
【特許文献９】独国特許出願公開第１０  ２００６  ００７  ９６０  Ａ１号明細書
【特許文献１０】独国特許出願公開第１０  ２００７  ０２５  １４４  Ａ１号明細書
【特許文献１１】独国特許出願公開第１０  ２００７  ０５１  ５０４  Ａ１号明細書
【発明の概要】
【発明が解決しようとする課題】
【０００５】
本発明の目的は、単純であり費用対効果の高い代替法を提案することである。
【課題を解決するための手段】
【０００６】
この目的は、請求項１に記載の特徴によって達成される。従属請求項は、本発明の有利な実施形態および発展形態に関する。
【０００７】
本発明は、車両の衝突時に、ドライブトレイン内で電気機械と１つまたは複数の従動軸との間に配置されたオートマチックトランスミッションが、ニュートラル位置にシフトされることを提案する。したがって、本発明による方法は、同様に、ドライブトレイン内にオートマチックトランスミッションを備える車両の衝突時に、電気機械を駆動軸から確実に切り離す。ここで、自動的にニュートラル位置にシフトさせることができる任意の従来のトランスミッションをオートマチックトランスミッションとして提供することができる。本発明によれば、このとき、オートマチックトランスミッション自体は変更する必要がない。例えばトランスミッション制御デバイスの適切な変更によって、オートマチックトランスミッションの作動のみが変更される。したがって、本発明は、適切な制御論理によって、上記特許文献１における機械的デバイスと同じ効果を実現する。その結果、衝突時に車両のドライブトレイン内での力の流れを遮断する特に単純であり費用対効果の高い方法が得られる。
【０００８】
本発明による方法は、パラレルハイブリッドとして具現化される車両で特に好適に使用される。そのような車両は、内燃機関と、電気機械と、オートマチックトランスミッションとが共通のシャフト上に配置されたドライブトレインを備える。内燃機関と電気機械との間にクラッチが提供され、このクラッチにより、電気機械および／または内燃機関によって車両を駆動させることができる。ここで、車両の衝突時にクラッチが閉じられる。通常、衝突時には、内燃機関への燃料供給が即時に停止され、その結果、前記内燃機関が静止状態となる。クラッチが閉じられているので、内燃機関によって電気機械が停止される。本発明に従ってオートマチックトランスミッションがニュートラル位置にシフトされると、電気機械と従動軸との間の力の流れが遮断されるので、従動軸の回転運動が電気機械に伝達され得ない。したがって、電気機械の回転、したがって発電機としての電気機械の動作が、車両の衝突時に確実に妨げられる。
【０００９】
車両の衝突の確実な検出は、車両の加速度センサおよび／またはエアバッグ制御デバイスによって発生される信号（衝突信号）によって可能である。そのような信号が発生するとき、オートマチックトランスミッションがニュートラル位置にシフトされる。
【００１０】
衝突時の安全性をさらに高めるために、冗長信号伝送を提供することができる。このために、衝突信号は、車両内で、例えば追加の信号線および／または信号経路によって、発生手段（例えば加速度センサまたはエアバッグ制御デバイス）から処理手段（例えばトランスミッション制御デバイス）に伝送される。
【００１１】
ネットワーク化されたトランスミッション制御装置の１つの制御信号の伝送に失敗した場合、オートマチックトランスミッションがニュートラル位置にシフトされることにより、安全性を改善することができる。例えばトランスミッション制御デバイスのＣＡＮ信号のそのような失敗は、また、車両の衝突状況も特徴付ける。
【００１２】
次に、本発明を、図面を参照してより詳細に提示する。ここで、唯一の図が、対応する信号伝送と共に本発明の特に好ましい実施形態を示す。
【図面の簡単な説明】
【００１３】
【図１】対応する信号伝送と共に本発明の特に好ましい実施形態を示す。
【発明を実施するための形態】
【００１４】
シングルシャフト・パラレルハイブリッドとして具現化されるハイブリッド車１を例示する。ここでは、内燃機関ＶＭが提供され、この内燃機関ＶＭは、電気機械ＥＭと共に、オートマチックトランスミッションＧの入力シャフト上に配置される。クラッチＴが、電気機械ＥＭと内燃機関ＶＭとの間に提供される。ハイブリッド車１の従動軸Ａの２つの車輪Ｒ１、Ｒ２を駆動させるための差動装置Ｄが、オートマチックトランスミッションＧの出力シャフト上に提供される。電気機械ＥＭは、電源回路ＬＥを介して高電圧電池Ｂに電気的に接続される。さらに、高電圧電池Ｂは、電気ステアリング手段Ｌおよび電気空調システムＫにも電流を提供する。
【００１５】
クラッチＴが閉じている場合、内燃機関ＶＭと、電動機として作動される電気機械ＥＭとの両方が、オートマチックトランスミッションＧに力またはトルクを伝達して、ハイブリッド車１の従動軸Ａを駆動させる。クラッチＴが開いている場合、電気機械ＥＭのみが、オートマチックトランスミッションＧに力またはトルクを加え、したがって、ハイブリッド車１の純粋に電気による走行を可能にする。
【００１６】
ハイブリッド車１を制動すべき場合、電気機械ＥＭが発電機として動作することができ、このようにして加えられる力によって制動を行うことができる。ハイブリッド車１の走行中にさらなる電流が必要とされる場合、内燃機関ＶＭが、従動軸Ａに加えて、発電機として作動される電気機械ＥＭも稼動させる。どちらの場合にも、それぞれ電気機械ＥＭの回転によって電流が発生される。この電流は、電気機械ＥＭと、電源回路ＬＥと、高電圧電池Ｂとの間での電線路、例えば三相高電圧線を介して伝達される。その結果、電気機械ＥＭが回転するとき、ここでそれぞれ高電圧が生じる。
【００１７】
ハイブリッド車１の衝突時、衝突トリガしきい値を超えたとき、エアバッグ制御デバイスＳ１が、例えば車両バス（ＣＡＮ）を介して、衝突信号をエンジン制御デバイスＳ２に伝送する。この衝突信号がエンジン制御デバイスＳ２で確認された場合、内燃機関ＶＭの燃料ポンプＰが即時に停止される。これにより、衝突信号の発生後、短時間のうちに内燃機関ＶＭが停止される。さらに、この場合、クラッチＴ（この実施形態では油圧式で具現化される）は、自動的に、閉じた基本状態にされる。燃料ポンプＰが燃料を内燃機関ＶＭに供給しなくなるので、内燃機関ＶＭは静止状態となる。また、内燃機関ＶＭと電気機械ＥＭとの間のクラッチＴが閉じられているので、静止した内燃機関ＶＭは、電気機械ＥＭも停止させる。なぜなら、このタイプのシングルシャフト・パラレルハイブリッドでは、通常、内燃機関ＶＭが、電気機械ＥＭよりも大幅に高い回転質量を有するからである。
【００１８】
ハイブリッド車１の衝突時にクラッチＴが自動的に閉じることにより、電気機械ＥＭが確実に停止されるが、いくつかの構成では、従動軸Ａの回転が、オートマチックトランスミッションＧを介して電気機械ＥＭに伝達され得る。従動軸Ａによって相応の力が加えられると、ここで、電気機械ＥＭと、閉じたクラッチＴを介して結合された内燃機関ＶＭとが回転されることがある。このとき、電気機械ＥＭの回転は、対応する高い電圧を発生する。この高い電圧は、電気機械ＥＭと電源回路ＬＥとの間、および電源回路ＬＥと高電圧電池Ｂとの間の電線路にも生じる。衝突時、これらの電線路が損傷されることがあり、その結果、生じている高電圧が電熱効果の危険を生み出す、例えば発火を招くおそれがある。
【００１９】
したがって、ハイブリッド車１の衝突時に、オートマチックトランスミッションＧがニュートラル位置にシフトされることが提案される。このために、衝突トリガしきい値を超えたとき、エアバッグ制御デバイスＳ１は、例えば車両バス（ＣＡＮ）を介して、衝突信号をトランスミッション制御デバイスＳ３にも伝送する。対応する衝突信号がトランスミッション制御デバイスＳ３で確認された場合、トランスミッション制御デバイスＳ３によってオートマチックトランスミッションＧがニュートラル位置にシフトされる。ここで、オートマチックトランスミッションＧは、従動軸Ａから電気機械ＥＭへの力の流れを通さなくなるので、これは、ハイブリッド車１の回転従動軸Ａから電気機械ＥＭへの力の伝達を確実に遮断する。衝突時の安全性をさらに高めるために、トランスミッション制御デバイスＳ３が冗長的に稼動される。このために、トランスミッション制御デバイスＳ３は、エアバッグ制御デバイスＳ１の衝突信号に加えて、エンジン制御デバイスＳ２の信号も評価する。したがって、エアバッグ制御デバイスＳ１の衝突信号がエンジン制御デバイスＳ２で確認されたとき、前記エンジン制御デバイスＳ２は、燃料ポンプＰを停止させるだけでなく、トランスミッション制御デバイスＳ３に信号を伝送する。その結果、ハイブリッド車１の衝突時、２つの信号が、互いに独立してトランスミッション制御デバイスＳ３に伝送される。その結果、トランスミッション制御デバイスＳ３は、オートマチックトランスミッションＧをニュートラル位置に確実にシフトできるようになる。
【符号の説明】
【００２０】
Ａ  従動軸
ＥＭ  電気機械
Ｇ  オートマチックトランスミッション
１  車両
ＶＭ  内燃機関
Ｔ  クラッチ
Ｓ１  エアバッグ制御デバイス
【図１】
2010242967.tif 000003
【外国語明細書】
2010242967000001.pdf